【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
第１の方向における第１の解像度が第２の方向における第２の解像度よりも高い第１のフォーマット、または、該第２の解像度が該第１の解像度よりも高い第２のフォーマットの映像を入力可能な映像入力手段と、
前記映像入力手段を介して入力された前記映像のフォーマットが前記第１のフォーマットまたは前記第２のフォーマットのいずれであるかを判定し、
前記入力端子を介して入力された前記映像の画素情報を少なくとも２画面分一時的に記憶し、
前記画素情報を書き込み中の画面を読み出し画面としないように制御するとともに、
前記画素情報の書き込み方向と読み出し方向とが互いに直交するように、前記映像のフォ―マットに基づいて行われるアクセス制御をすることにより、該映像を９０度回転させ出力映像を生成する制御手段と、
前記出力映像を表示する表示手段と、を有することを特徴とする表示装置。
【請求項２】
前記表示手段は、前記第１の方向における解像度が、前記第２の方向における解像度よりも高いことを特徴とする請求項１に記載の表示装置。
【請求項３】
前記制御手段は、
前記映像が前記第１のフォーマットである場合、該映像を９０度回転させ、
前記映像が前記第２のフォーマットである場合、該映像を回転させないことを特徴とする請求項１または２に記載の表示装置。
【請求項４】
前記制御手段は、前記映像入力手段を介して入力された前記映像に対して、前記第１の方向における前記第１の解像度と前記第２の方向における前記第２の解像度とを比較し、解像度が高いほうの方向を長軸方向であると判定し、
前記映像の前記長軸方向と前記表示手段の長軸方向とが互いに一致することを特徴とする請求項１乃至３のいずれか１項に記載の表示装置。
【請求項５】
前記制御手段は、前記出力映像にオンスクリーン表示を重畳させ、
前記表示手段は、前記出力映像に前記オンスクリーン表示を重畳して得られた映像を表示することを特徴とする請求項１乃至５のいずれか１項に記載の表示装置。
【請求項６】
前記制御手段は、前記映像のフォーマットに応じてオンスクリーン表示を回転させ、
前記映像入力手段を介して入力される前記映像に前記オンスクリーン表示を重畳させ、該オンスクリーン表示を重畳させた映像を回転手段に出力し、
前記映像が前記第１のフォーマットである場合、前記オンスクリーン表示を第１の回転方向に回転させるように前記オンスクリーン回転手段を制御し、かつ、該オンスクリーン表示を重畳させた映像を該第１の回転方向とは反対の第２の方向に回転させることを特徴とする請求項１乃至５のいずれか１項に記載の表示装置。
【請求項７】
前記制御手段は、前記映像入力手段を介して入力された前記映像に含まれる原画像の天地方向に関する情報を検出し、
該情報に基づいて前記回転手段を制御することを特徴とする請求項１乃至６のいずれか１項に記載の表示装置。
【請求項８】
前記第１のフォーマットは、原画像および伝送画像の天地方向が互いに直交するフォーマットであり、
前記第２のフォーマットは、前記原画像および前記伝送画像の前記天地方向が互いに一致したフォーマットであることを特徴とする請求項１乃至７のいずれか１項に記載の表示装置。
【請求項９】
第１の方向における第１の解像度が第２の方向における第２の解像度よりも高い第１のフォーマット、または、該第２の解像度が該第１の解像度よりも高い第２のフォーマットの映像を入力するステップと、
前記映像のフォーマットが前記第１のフォーマットまたは前記第２のフォーマットのいずれであるかを判定するステップと、
前記入力するステップを介して入力された前記映像の画素情報を少なくとも２画面分一時的に記憶するステップと、
前記映像が前記第１のフォーマットである場合、前記画素情報を書き込み中の画面を読み出し画面としないように制御するとともに、前記画素情報の書き込み方向と読み出し方向とが互いに直交するように、前記映像のフォ―マットに基づいて行われるアクセス制御をすることにより、該映像を９０度回転させるステップと、
出力映像を表示するステップと、を有することを特徴とする表示装置の制御方法。
【請求項１０】
前記制御手段は、水平同期信号及び垂直同期信号に基づいて、前記入力端子を介して入力された前記映像が第１のフォーマットまたは第２のフォーマットのいずれであるかを判定することを特徴とする請求項１乃至８のいずれか１項に記載の表示装置。
【請求項１１】
前記制御手段は、前記映像の解像度の情報を含む前記フォーマットを判定するために、前記水平同期信号及び垂直同期信号の周波数が前記解像度の情報と紐づけられたテーブルを使用することを特徴とする請求項１０に記載の表示装置。
【請求項１２】
第１の方向における第１の解像度が第２の方向における第２の解像度よりも高い第１のフォーマット、および、該第２の解像度が該第１の解像度よりも高い第２のフォーマットの映像を入力可能な映像入力手段と、
前記映像入力手段を介して入力された前記映像のフォーマットが前記第１のフォーマットまたは前記第２のフォーマットのいずれであるかを判定する制御手段と、
前記映像を表示する表示手段と、
前記表示手段の走査方向を、水平方向に走査するか垂直方向に走査するか、を制御する表示制御手段と、
前記映像のフォーマットに応じて前記表示手段を制御する回転制御手段と、を有することを特徴とする表示装置。
【手続補正２】
【補正対象書類名】明細書
【補正対象項目名】０００８
【補正方法】変更
【補正の内容】
【０００８】
本発明の一側面としての表示装置は、第１の方向における第１の解像度が第２の方向における第２の解像度よりも高い第１のフォーマット、または、該第２の解像度が該第１の解像度よりも高い第２のフォーマットの映像を入力可能な映像入力手段と、前記映像入力手段を介して入力された前記映像のフォーマットが前記第１のフォーマットまたは前記第２のフォーマットのいずれであるかを判定し、前記入力端子を介して入力された前記映像の画素情報を少なくとも２画面分一時的に記憶し、前記画素情報を書き込み中の画面を読み出し画面としないように制御するとともに、前記画素情報の書き込み方向と読み出し方向とが互いに直交するように、前記映像のフォ―マットに基づいて行われるアクセス制御をすることにより、該映像を９０度回転させ出力映像を生成する制御手段と、前記出力映像を表示する表示手段とを有する。
【手続補正３】
【補正対象書類名】明細書
【補正対象項目名】０００９
【補正方法】変更
【補正の内容】
【０００９】
本発明の他の側面としての表示装置の制御方法は、第１の方向における第１の解像度が第２の方向における第２の解像度よりも高い第１のフォーマット、または、該第２の解像度が該第１の解像度よりも高い第２のフォーマットの映像を入力するステップと、前記映像のフォーマットが前記第１のフォーマットまたは前記第２のフォーマットのいずれであるかを判定するステップと、前記入力するステップを介して入力された前記映像の画素情報を少なくとも２画面分一時的に記憶するステップと、前記映像が前記第１のフォーマットである場合、前記画素情報を書き込み中の画面を読み出し画面としないように制御するとともに、前記画素情報の書き込み方向と読み出し方向とが互いに直交するように、前記映像のフォ―マットに基づいて行われるアクセス制御をすることにより、該映像を９０度回転させるステップと、出力映像を表示するステップとを有する。